(57)【要約】      （修正有）【課題】育苗ポットに植えられた一株毎の植物を２次元的な配置をアレンジして、様々な形状、配置を楽しめるツールとして、育苗ポットを再利用可能とする鑑賞用ポットを提供する。【解決手段】樹脂により一体成形されたコップ形状の育苗ポット１０であって、接地面に接地されたときに接地面に面接触する脚面１４を有する底面部１３と、底面部に続き上に向けて横断面積が増大する側面部１２と、側面部１２に続く上側に育苗ポット１０を一周するように設けられ、底面部１３及び側面部１２よりも厚い肉厚であり、かつ、外側に脚面１４に対して垂直でかつ平面である面を含む縁部１１とを有する。【選択図】図１
0003171701.tif 000002
【実用新案登録請求の範囲】
【請求項１】
育苗ポットを収容する鑑賞用ポットであって、
接地面に接地されたときに接地面に面接触する脚面を有する底面部と、
当該底面部に続き取り囲む内側空間の横の断面積が上に向けて増大する側面部と、
収容すべき育苗ポットの開口の周りを一周するように前記側面部に続く上側に設けられ、前記底面部及び前記側面部よりも厚い肉厚であり、かつ、外側に前記脚面に対して垂直でかつ平面である面を含む縁部とを有し、前記底面部、側面部及び縁部により囲まれた内側の空間が、1つのみのコップ形状の育苗ポットを収容する内部空間であることを特徴とする観賞用ポット。
【請求項２】
請求項１において、前記縁部の外側に、互いに嵌合する形状である凸部と凹部が前記垂直でかつ平面である面に対応して設けられていることを特徴とする観賞用ポット。
【請求項３】
請求項１において、前記縁部は平面視において正方形状であることを特徴とする観賞用ポット。
【請求項４】
請求項１において、前記縁部は平面視において正六形状であることを特徴とする観賞用ポット。
【請求項５】
請求項１において、複数の前記観賞用ポットに対して、夫々の前記縁部の垂直でかつ平面である面同士を正対させて接触させ、当該接触した縁部の内側を挟み込むクリップを有することを特徴とする観賞用ポット。
【考案の詳細な説明】
【技術分野】
【０００１】
本考案は、形・大きさを自由にアレンジできる鑑賞用の鉢に転用可能な観賞用ポットに関するものである。
【背景技術】
【０００２】
薄肉の軟質樹脂で形成された育苗ポットと呼ばれる円形あるいは４角形コップ状の樹脂成体を利用して商品である花などの観賞用植物の栽培や流通が行われている。栽培の際には取り扱いの作業を容易にするため、多数個の育苗ポットが連結された連結体の状態で作業が行われる（例えば、特許文献1参照）。また、始めから連結していない個々ばらばらな状態の育苗ポットも存在する。連結体の状態のポットはばらばらにされ、育苗ポットは個々分離された状態で流通する。そして、園芸店等において販売された後は、観賞用植物は育苗ポットから別途用意された鉢や、花壇等に植え替えられ、育苗ポットはその役目を終える。
【０００３】
育苗ポットに観賞用植物を植えたまま利用するトレイの提案が、特許文献２や３に開示されている。これらは、複数個の育苗ポットを嵌挿するトレイであり、このトレイから育苗ポットを自由に出し入れ可能とした状態で鑑賞位置に設置できるようにしている。このような提案によれば、育苗ポットから鑑賞用植物を移植する際の煩わしさ、例えば手が土壌にふれて汚れることはない。
【先行技術文献】
【特許文献】
【０００４】
【特許文献１】特開２００５−１７６６５０号公報
【特許文献２】実開平６−８７２６４号公報
【特許文献３】特開２００２−２８４２２８号公報
【考案の概要】
【考案が解決しようとする課題】
【０００５】
特許文献２及び３の発明によれば、育苗ポットを嵌挿するトレイは、枠の位置は予め決められたものであり、例えば２行３列で６個の育苗ポットを搭載できるものであれば、その枠が育苗ポットで埋まってないと一部が脱落しているように見えてしまう。よって、観賞用として用いる場合には、６個の全ての枠に育苗ポットが嵌挿された状態で、アレンジをしなければならず、自由度が低下する。
【０００６】
本考案は、育苗ポットの購入した消費者が、育苗ポットに植えられた一株毎の植物を２次元的な配置をアレンジして、様々な形状、配置を楽しめるツールとして、育苗ポットを再利用可能とすることを目的とする。
【課題を解決するための手段】
【０００７】
上記の課題を解決するために、育苗ポットを収容する鑑賞用ポットであって、接地面に接地されたときに接地面に面接触する脚面を有する底面部と、当該底面部に続き取り囲む内側空間の横の断面積が上に向けて増大する側面部と、収容すべき育苗ポットの開口の周りを一周するように前記側面部に続く上側に設けられ、前記底面部及び前記側面部よりも厚い肉厚であり、かつ、外側に前記脚面に対して垂直でかつ平面である面を含む縁部とを有し、前記底面部、側面部及び縁部により囲まれた内側の空間が、1つのみのコップ形状の育苗ポットを収容する内部空間であることを特徴とする。
【考案の効果】
【０００８】
本考案によれば、複数の鑑賞用ポットを自在に２次元的に配置して組立て、各鑑賞用ポットの中に育苗ポットをそのままの状態で、投入することにより消費者は、様々な形状にアレンジをして楽しむことができるという効果がある。また、育苗ポットに鑑賞用植物を載せたままの状態で、観賞用ポット単位で取り外しが可能なため、生け花を楽しむように、かつ土壌に触れることなく観賞植物の配置をすることができる。
【図面の簡単な説明】
【０００９】
【図１】本考案に係る観賞用ポットを示す図である。
【図２】観賞用ポットを結合した様子を示す図である。
【図３】他の実施例の観賞用ポットを示す図である。
【図４】他の実施例の観賞用ポットを示す図である。
【図５】クリップの例を示す図である。
【図６】他の実施例の観賞用ポットを示す図である。
【図７】使用例を示す図である。
【考案を実施するための形態】
【００１０】
まず、育苗ポットについて説明する。育苗ポットは、一般的には、底面部から開口Ｑに向かって、横断面積が拡大するコップ形状をしている。
図７において、一般的な育苗ポット１が示されている。育苗ポット1は通常、植物を一株毎に植え付けられており、その大きさは、小さなものでは縦６ｃｍ、横６ｃｍ、高さ６ｃｍ、大きなものでは縦１８ｃｍ、横１８ｃｍ、高さ１５ｃｍ程度であり、一般的には縦７．５ｃｍ、横７．５ｃｍ、高さ６.５ｃｍの柔軟な樹脂でできたものが園芸店、ホームセンター等でよく見られる。
育苗ポット１の側面２は傾斜角度をもつ斜面であり、その底面３は、中央に排水穴や、凹み形状６が設けられ、その周りを平坦な脚面４で取り囲んでいる。育苗ポット１を平面上に置いた場合、この平坦な脚面４が、接地面に接触して定置する。尚、特許文献１には、底面から上側の縁部に向かって垂直に立ち上がった形状の育苗ポットも知られているが、育苗ポットから植物を取り出す際の取り出しにくさから、市場では見ることはない。
【００１１】
このような育苗ポット1は、図７Ａに示すように、花卉栽培農家においては作業の容易性から複数の育苗ポット１を収容可能なトレイ５を用い、トレイ５に育苗ポット１を載せた状態で、土壌が入れられ、苗が植えられる（或いは種の直播き）。
出荷できる程度に生育した観賞用植物は、育苗ポット１のまま園芸店やホームセンターにトレイ５に入れられた状態で出荷される。この際、連結した育苗ポット（特許文献１参照）においては、育苗ポットが切り離された状態となっている。
【００１２】
以下、本考案の実施の形態を図面に基づいて説明する。
図１は、実施例による観賞用ポット１０を示している。図１Ａは斜視図であり、図１Ｂは平面図であり、図１Ｃは断面図である。観賞用ポット１０は、ポリプロピレン等の樹脂で一体成形されたコップ形状をしている。縁部１１を除いた側面部１２及び底面部１３部は、ほぼ同一の厚さを有し、図７の一般的な育苗ポット１のまわりを外から包むような類似の形状をしている。すなわち、観賞用ポット１０の側面部１２が取り囲む内側の空間は、上に向かって横の断面積が増大する形状を有している。底面部１３は、中央の窪み形状１５の回りを平坦な脚面１４で取り囲んでいる。観賞用ポット１０を平面上に置いた場合、この平坦な脚面が、平面に接触して定置する。底面中央や、脚面の外回りに排水穴が設けられている。縁部１１は、平面視において観賞用ポット１０を一周する正方形状をしており、４つの直線的な辺イ〜ニを有している。その厚さは、縁部１１の一周にわたり、縁部１１に続く側面部１２、そして及び側面部１２に続く底面１３よりも厚く成形されており、かつ縁部１１の外側には面１１ａが脚面１４に対して垂直な面１１ａを含んでいる。内側の面１１ｂも脚面１４に垂直になっている。縁部１１、側面部１２及び底面部１３により囲まれた内部空間に1つのみの育苗ポットを収容する。内側の面１１ｂが垂直であるので、育苗ポット１が投入されたときに、育苗ポット１の開口Ｑが干渉する可能性があるが、育苗ポット１は柔軟であるため、支障は無い。ここにおいて、面１１ａは、辺イ〜ニの接続地点における湾曲した曲面の他に、辺イ〜ニの直線部の下側の平面を含んでおり、この平面部分が、後に述べるように観賞用ポット１０同士を結合した際の結合面になる。
【００１３】
縁部１１の各辺における外側の面１１ａには、さらに、結合面となる平面に対応して、辺イの一端から距離ｄ０、ｄ１の位置に凸部１６、凹部１７が、他端からも同様距離ｄ０、ｄ１の位置に凹部１７、凸部１６がこの順に設けられている。凸部１６と凹部１７は脚面１４から同一の高さ位置に有る。かつ他の辺ロ〜ニも同様に同一の順番で凸部１６と凹部１７が配置されている。凸部１６と凹部１７は正対して互いを押し付けたとき、互いに接触して嵌め合いが起こる関係にある。
【００１４】
図２は、２つの観賞用ポット１０の縁部１１を、互いに合せた状態を示している。縁部１１の外側の面１１ａは、脚面１４に対して垂直であるので、脚面１４の全体が平面Ｐに接触した状態で、両者の縁部１１は面同士が接触した状態である。この状態で、凸部１６と凹部１７は互いに嵌りあっており、観賞用ポット１０同士の間で上下左右に位置がずれることが抑止されている。凹部１７は面１１ａから突出した凸部１６の周囲を取り囲んでしまうものであるからである。さらに、凸部１６と凹部１７は互いに嵌合したときに互いに束縛し合う緊張をもたせておけば、凸部１６と凹部１７の嵌り合いにより、観賞用ポット１０同士の結合状態を保持できる。この状態で、指Ｆで観賞用ポット１０をつまんでも、観賞用ポット１０は起立したままの姿勢を保持する。
【００１５】
観賞用ポット１０のような縁部１１を有さない一般的な育成ポット1の場合、指Ｆで育成ポット1をつまみ側面同士を接触させると脚面が平面Ｐから浮き上がり、傾斜姿勢になる（図２Ｂ参照）。一方、観賞用ポット１０は、肉厚の縁部１１の外側の面１１ａに接合面が設けられることにより脚面１４の接地状態を保つことができるのである。
【００１６】
観賞用ポット１０は、一つの辺に左右の端に凸部と凹部を一組ずつ有しているが、これらの距離ｄ０とｄ１を等しくし、かつ中央拠りの凸部１６と凹部１７の間隔までも等しくすることにより、図２Ｃのように観賞用ポット１０を半分長さずらして結合することができる。
【００１７】
図３は、他実施例における観賞用ポット２０を示している。観賞用ポット２０は、平面形状において、正六角形形状をしている。縁部２２を除き、側面部２２及び底面部２３については観賞用ポット１０と同じであり、夫々ほぼ同一の厚さを有する。縁部２２は他の箇所よりも肉厚である。縁部２２は、直線部を有する辺イ〜ヘを有している。辺イの一端から距離ｄ２の位置に凸部２６が、他端から距離ｄ２の位置に凹部２７が設けられている。凸部２６と凹部２７は脚面２４から同一の高さ位置に有る。かつ他の辺ロ〜へも同様に凸部２６と凹部２７が配置されている。凸部２６と凹部２７は正対して互いを押し付けたとき、嵌め合いが起こる関係にある。この観賞用ポット２０は、孤や円形状のスペースを埋めるのに適しており、例えば図３Ｃのように、観賞用ポット２０同士の縁部２１を複数個結合すると、「円」を埋めるような形状にすることができる。
【００１８】
図４は、本実施例の観賞用ポット１０、２０の他の実施例の観賞用ポット３０を示す断面図である。観賞用ポット１０、２０は、縦断面が共通であるので、以下、特に特定していなければ、観賞用ポット１０、２０の両方を対象としているものとする。
【００１９】
観賞用ポット３０は、前述の実施例とは相違し、凸部と凹部を有さず縁部３１の外側の面３１ａは平坦な均一面となっている。面３１ａは、先の実施例と同様に平面を含んでおり、この平面部分が観賞用ポット３０同士を結合した際の結合面になる。
【００２０】
縁部３１の厚さが側面部３２、底面部３３よりも厚く、かつ面３１ａが脚面３４に垂直である点は共通している。観賞用ポット３０は、凸部と凹部を有しておらず、これらを結合するために、クリップ４０を用いて結合する（図４Ｂ）。図４Ｃは、クリップ４０を示しており、向かい合う把持面部４１、４２が、互い近づくように、結合部４３から伸びている。把持面部４１、４２により、観賞用ポット３０の縁部３１の内側の面を把持する。尚、このクリップ４０は、凸部と凹部を有した観賞用ポット１０、２０に使用しても差し支えないものである。
【００２１】
図５は、クリップ４０の他の例を示す図であり、このクリップ５０（図５Ａ）は、向かい合う把持面部５１、５２の中央にスリット５４が設けられている。平面視正方形の縁部を持つ観賞用ポット１０、或いは３０を半分ずらして結合する際に、把持面部５１と５２に挟まれた縁部がスリット５４から脱出できるようにしたものである（図５Ｂ）。
【００２２】
図６は、説明の重複を避けるために凸部と凹部を省略した観賞用ポット１０又は２０、或いは観賞用ポット３０の縁部１１、２１、３０を変形した観賞用ポット６０,７０断面図である。図６Ａに示す観賞用ポット６０は、縁部６１の内側の面６１ｂの傾斜が、脚面６４とは垂直でなく、側面部６２からさらに上に向かって開口を広げる傾斜を有している。縁部６１の外側の面６１ａは脚面６４に対して垂直である。
【００２３】
図６Ｂに示す観賞用ポット７０は、側面部７２から鍔７５を介して、他の部分より肉厚の縁部７１を有している。縁部７１の外側の面７１ａは脚面７４に対して垂直である。
【００２４】
観賞用ポット１０、２０、３０、６０、７０は、その使用例において図７Ｂに示すように、消費者は、２次元的な配置を想定しながら、生け花を楽しむように観賞用ポット１０、２０、３０、６０或いは７０を連結してゆく。そして、育苗ポット１に鑑賞用植物が入ったままの状態で、観賞用ポットに投入する。鑑賞用ポット単位に組み合わせ自由であり、消費者は様々な形状、配置のアレンジを楽しむことができる。その際、土壌には触れることが無いため、作業は極めて手軽である。
【００２５】
縁部に凸部と凹部が設けられた観賞用ポットと、クリップを併用すれば、多数の観賞用ポットを組み合わせてトレイ５を超える大きさに組み上げても自立可能であり、壁に垂直な状態で立てかけても崩れてしまうことが無い。
【００２６】
また、花卉栽培農家から出荷する段階から、あるいは園芸店やホームセンターにおいて育苗ポットを観賞用ポットに収容した状態で販売すれば、消費者は、園芸店やホームセンターにおいて商品を選択する際に、買い物途中で観賞用ポットを仮に嵌め合わせて、完成した形を想像しながら商品を選択することができる。
【符号の説明】
【００２７】
１０、２０、３０、６０、７０  観賞用ポット
１１、２１、３１、６１、７１  縁部
１２、２２、３２、６２、７２  側面部
１３、２３、３３、６３、７３  底面部
１４、２４、３４、６４、７４  脚面
１６、２６  凸部
１７、２７  凹部
４０、５０  クリップ
１  育苗ポット
５  トレイ
【図１】
0003171701.tif 000003
【図２】
0003171701.tif 000004
【図３】
0003171701.tif 000005
【図４】
0003171701.tif 000006
【図５】
0003171701.tif 000007
【図６】
0003171701.tif 000008
【図７】
0003171701.tif 000009